(57)【要約】【課題】  簡単な構成により、表示ユニットを効果的に冷却して表示ユニットの表示品質の劣化を防止するようにした画像表示装置を提供する。【解決手段】  トナー方式による表示ユニット１００は、その前面に透明板１２、後面に中間部材１３を配した状態で本体１１に内蔵されている。放熱面積を増すために、本体１１の背面部材１１Ａには熱伝導性に優れる材料が用いられるとともに、一部には凹凸部１１Ａが設けられている。同様に、中間部材１３の背面の一部には凹凸部１３Ｂが設けられている。凹凸部１３Ｂと背面部材１１Ａの間には、中間部材１３からの熱を背面部材１１Ａに伝熱させるための熱伝導グリース１５が充填されている。【選択図】      図１
2006010850.tif 000002
【特許請求の範囲】
【請求項１】
電圧の印加によって画像が書き込まれるとともに、無電源による表示が可能な表示ユニットと、
前記表示ユニットの表示面が外部から視認可能に前記表示ユニットを密閉空間に保持した筐体と、
前記表示ユニットの背面に密着する密着部材を有し、前記表示ユニットから発生する熱を前記密着部材を介して前記筐体の外部に放熱する放熱手段とを備えたことを特徴とする画像表示装置。
【請求項２】
前記放熱手段は、前記筐体の背面側に設けられ、前記表示ユニットから発生する熱を前記密着部材を介して前記外部に放熱する背面部材と、前記密着部材と前記背面部材との間に介在する熱伝導グリースとを備えたことを特徴とする請求項１記載の画像表示装置。
【請求項３】
前記密着部材は、前記熱伝導グリース側に凹凸形状を有することを特徴とする請求項２記載の画像表示装置。
【請求項４】
前記背面部材は、前記熱伝導グリース側に凹凸形状を有することを特徴とする請求項２記載の画像表示装置。
【請求項５】
前記背面部材は、前記外部側に凹凸形状を有することを特徴とする請求項２記載の画像表示装置。
【請求項６】
前記背面部材は、前記熱伝導グリース側および前記外部側に凹凸形状を有することを特徴とする請求項２記載の画像表示装置。
【請求項７】
前記放熱手段は、前記背面部材に空気を流通させる管路を備えたことを特徴とする請求項２記載の画像表示装置。
【請求項８】
前記管路は、ファンによって前記空気が強制的に流通することを特徴とする請求項７記載の画像表示装置。
【請求項９】
前記放熱手段は、前記表示ユニットから発生する熱を前記密着部材を介して冷却する複数の冷却素子とを備えたことを特徴とする請求項１記載の画像表示装置。
【請求項１０】
前記複数の冷却素子は、熱伝導が均等に成されるように前記密着部材の複数の箇所に複数の熱配線を介して接続されたことを特徴とする請求項９記載の画像表示装置。
【請求項１１】
前記冷却素子は、ペルチェ素子であることを特徴とする請求項９記載の画像表示装置。
【請求項１２】
前記放熱手段は、前記密着部材に熱的に冷媒用管路を接続し、前記冷媒用管路内を冷媒を循環させる方式の熱交換機とを備えたことを特徴とする請求項１記載の画像表示装置。
【請求項１３】
前記熱交換機は、ヒートポンプであることを特徴とする請求項１２記載の画像表示装置。
【請求項１４】
前記表示ユニットは、前記電圧の印加によって形成された電界に応じて着色粒子が表面基板と背面基板との間の空間を移動して前記画像を表示するトナー方式の画像表示媒体であることを特徴とする請求項１記載の画像表示装置。
【発明の詳細な説明】
【技術分野】
【０００１】
本発明は、電圧の印加によって画像が書き込まれるとともに、無電源による表示が可能な表示ユニットを備える画像表示装置に関し、特に、簡単な構成により、表示ユニットを効果的に冷却して表示ユニットの表示品質の劣化を防止するようにした画像表示装置に関する。
【背景技術】
【０００２】
従来、フラットタイプの表示装置には、液晶ディスプレイやプラズマディスプレイが用いられているが、これらはメモリ性を有しないので、電源をオフにすると表示内容が消失する。そこで、メモリ性を有し、画像表示媒体に一旦画像が書き込まれると、電源を印加しなくとも表示内容を見ることができるようにした画像表示媒体が提案されている。
【０００３】
このような従来の画像表示媒体として、例えば、着色粒子を電界によって移動させ、画像表示を行うトナー方式の画像表示媒体が知られている（例えば、特許文献１参照。）。
【０００４】
この画像表示媒体は、表面基板部材上に形成された列電極を誘電体膜により保護した透光性を有する表面基板と、背面基板部材上に形成された行電極を誘電体膜により保護した背面基板と、基板間を微小な間隔に対向配置させるとともに、基板間を基板と平行な方向に仕切って複数のセルを形成する仕切り部材と、負に帯電した白色粒子群と正に帯電した黒色粒子群とを各セル内に封入して構成されている。
【０００５】
この画像表示媒体において、行電極と列電極との間に直流電圧を印加すると、電極間の画素に電界が形成され、電界の向きに応じて白色粒子と黒色粒子が表面基板または背面基板側へ移動し、表面基板の内面に付着した白色粒子と黒色粒子とのコントラストにより表面基板を通して白黒の画像表示が行われる。この構成によれば、電界を変化させない限り表示が消えないため、画像の書き込み後は、無電源で画像を保持することができる。
【０００６】
このような画像表示媒体を備えた画像表示装置を屋外に設置し、広告塔、立て看板等に用いた場合、太陽熱や外気温の影響を受け、画像表示媒体、内部の回路等は、周囲温度に比べて著しく温度が上昇する。特に、粒子は湿気等の影響を避け、かつ飛散するのを防止するために密封構造にされており、粒子は温度が上昇し易い。特に、黒色粒子は熱を吸収しやすく、温度上昇による粒子帯電特性の変化による閾値電圧の変化によって濃度不良や画像欠陥等が発生し、表示品質が劣化する。また、粒子帯電特性は、接着剤、基板等から発生するアウトガスによっても変化する。
【０００７】
一方、画像表示媒体や制御回路基板等の冷却に使用できる可能性の高い冷却装置として、ヒートパイプを用い、このヒートパイプに電源ユニット等を取り付けて冷却を行うものがある（例えば、特許文献２参照）。
【特許文献１】特開２００２−９９００２号公報（［０００８］、図２３、図２４）
【特許文献２】特開平８−６９２５４号公報（［００２３］、［００２４］、図１、図２）
【発明の開示】
【発明が解決しようとする課題】
【０００８】
しかし、従来の画像表示装置によると、特許文献２に記載のような冷却装置を適用しようとすると、温度が低く、冷却の必要がないときにも冷却が行われる。また、ヒートパイプは冷却面積が小さいため、表面積の大きい画像表示媒体を冷却するには不向きである。更に、ヒートパイプの少なくとも一端を本体内に引き込む必要があり、レイアウトに制約が生じる。
【０００９】
従って、本発明の目的は、簡単な構成により、表示ユニットを効果的に冷却して表示ユニットの表示品質の劣化を防止するようにした画像表示装置を提供することにある。
【課題を解決するための手段】
【００１０】
本発明は、上記目的を達成するため、電圧の印加によって画像が書き込まれるとともに、無電源による表示が可能な表示ユニットと、前記表示ユニットの表示面が外部から視認可能に前記表示ユニットを密閉空間に保持した筐体と、前記表示ユニットの背面に密着する密着部材を有し、前記表示ユニットから発生する熱を前記密着部材を介して前記筐体の外部に放熱する放熱手段とを備えたことを特徴とする画像表示装置を提供する。
【発明の効果】
【００１１】
本発明の画像表示装置によれば、表示ユニットから発生する熱を密着部材に伝導させて外部に放熱することにより、表示ユニットの冷却が簡単な構成により効果的に行えるようになり、表示品質の劣化を防止することができる。
【発明を実施するための最良の形態】
【００１２】
［第１の実施の形態］
図１は、本発明の第１の実施の形態に係る画像表示装置を示す。この画像表示装置１は、表示面が正面を向くように鉛直姿勢で配置され、金属等の熱伝導性に優れる材料を用いた箱型に作られるとともに背面部材１１Ａに凹凸部１１Ｂが形成されている筐体としての本体１１と、この本体１１の前面に装着され、保護カバーとして機能する透明なプラスチック、ガラス等からなり、本体１１、背面部材１１Ａとにより密閉空間を形成する透明板１２と、透明板１２の背面に設置された表示ユニット１００と、表示ユニット１００の背面に密着する密着部材としての中間部材１３と、透明板１２と表示ユニット１００の表面との間に所定の間隙を形成してニュートンリングの発生を防止するスペーサ１４と、凹凸部１３Ａを埋めるようにして中間部材１３と本体１１の背面との間の所定範囲に充填されたシリコングリース等による熱伝導媒体としての熱伝導グリース１５と、表示ユニット１００の表示制御を行う電源・制御ユニット１６と、背面部材１１Ａの外表面に設置された空気流路１７と、中間部材１３の位置決めに用いられる調整ネジ１８Ａ，１８Ｂとを備える。
【００１３】
背面部材１１Ａは、銅，アルミニウム等の熱伝導性に優れる材料からなり、放熱効率を高めるために外側に紙面に直交する方向の長溝を一定間隔で設けて形成された凹凸部１１Ｂを備える。なお、凹凸部を熱伝導グリース１５側に設けてもよい。これにより、熱伝導グリース１５からの熱伝導効率を高めることができる。
【００１４】
本体１１および背面部材１１Ａは、プラスチック等の材料に熱伝導率の高い素材、例えば、金属ワイヤー等を織り込んだものを用いてもよい。
【００１５】
中間部材１３は、銅，アルミニウム等の熱伝導性に優れる材料からなり、背面部材１１Ａの凹凸部１１Ｂに対向する部位に紙面に直交する方向の長溝を一定間隔で設けて形成された凹凸部１３Ａを備える。
【００１６】
背面部材１１Ａおよび中間部材１３に設けた凹凸部１１Ｂ，１３Ａによって放熱フィンが形成される。これらの凹凸部１１Ｂ，１３Ａは、碁盤の目状に溝を設けて凹凸を形成してもよい。
【００１７】
空気流路１７は、銅、アルミニウム等の熱伝導性に優れる材料を「コ」の字形に曲加工またはプレス加工して作られた放熱部材１９を背面部材１１Ａの外面に取り付け、縦方向の貫通孔を形成することにより得ている。この貫通孔の下端部には、外気を取り込めるように、図示せぬ空気取込口が形成され、貫通孔の上端部には、内部の熱を排気する排気口が形成されている。なお、空気流路１７の内、空気取込口、排気口、または放熱部材１９の表面に放熱器または電動ファンを取り付け、強制空冷の構成にすることもできる。
【００１８】
電源・制御ユニット１６は、制御回路、書込みデータを記憶する画像メモリ、表示駆動を行う表示駆動回路、通信インターフェース、各回路に直流電源を供給し且つ表示ユニット１００にパルス電源を供給する電源回路等を含んで構成されている。電源回路は、整流回路と、＋５Ｖ、＋１２Ｖ等の安定化電圧を得るための電圧レギュレータ回路と、±１４０Ｖ程度のパルス電圧を生成するパルス電源回路と、バッテリーとを備えて構成されている。また、電源・制御ユニット１６は、本体１１の外部に設けてもよく、本体１１の内部に設けてもよい。
【００１９】
なお、中間部材１３を有しない構成も可能であり、この場合には、表示ユニット１００の背面と背面部材１１Ａの内面との間に熱伝導グリース１５を介在させる。
【００２０】
（表示ユニットの構成）
図２は、図１に示した表示ユニット１００の詳細構成を示す。この表示ユニット１００は、所定の間隔に配設された透明な一対の基板１０１Ａ，１０１Ｂと、ＩＴＯ（インジウム錫酸化物）を用いて基板１０１Ａの内側に配設された行電極１０２と、ＩＴＯを用いて基板１０１Ｂの内側に配設された列電極１０３と、行電極１０２および列電極１０３のそれぞれの内側に配設された誘電体層１０４Ａ，１０４Ｂと、誘電体層１０４Ａと誘電体層１０４Ｂの間に形成された空間部１０５と、この空間部１０５内に封入された白色粒子１０６Ａおよび黒色粒子１０６Ｂとを備える。
【００２１】
行電極１０２と列電極１０３は、それぞれ複数本からなり、マトリックス状に配設されている。誘電体層１０４Ａ，１０４Ｂは、黒色ポリカーボネート、ポリエステル、ポリイミド、エポキシ等からなり、行電極１０２および列電極１０３の保護のほか、粒子の帯電特性を安定化させるために設けられる。
【００２２】
白色粒子１０６Ａは、例えば、体積平均粒径２０μｍの酸化チタン含有架橋ポリメチルメタクリレートの球状微粒子の１００重量部にイソプロピルトリメトキシシラン処理したチタニアの微粉末０．４重量部を外添して得ることができる。また、黒色粒子１０６Ｂは、例えば、体積平均粒径２０μｍのカーボン含有架橋ポリメチルメタクリレートの球状微粒子を用いることができる。
【００２３】
（画像表示装置の動作）
次に、図１および図２を参照して画像表示装置１の動作について説明する。まず、電源がオンにされると、電源・制御ユニット１６の電源回路およびパルス電源回路に電力が供給される。この電源回路により生成された所定の直流電圧は、電源・制御ユニット１６内の制御回路等に供給される。また、パルス電源回路により生成されたパルス電圧は、画像書込みの際にパルス電源として用いられる。
【００２４】
画像表示装置１が晴天の屋外で使用された場合、表示面に照射された太陽光によって、表示ユニット１００の温度が上昇し、その温度は時間を経て表示ユニット１００の背面に伝熱し、更に中間部材１３に伝熱される。更に、中間部材１３の熱は、熱伝導グリース１５を介して背面部材１１Ａに伝熱される。中間部材１３は、熱伝導グリース１５との接触面に凹凸部１３Ａが設けられているため、接触面積が増大し、この部分の熱抵抗を小さくできるので、伝熱効率が高められる。
【００２５】
放熱板として機能する背面部材１１Ａにおいては、大気中の空気との熱交換が、凹凸部１１Ｂ、空気流路１７、およびその他の平面部分で行われる。凹凸部１１Ｂの形成部分は、平面部分に比べて放熱面積が多いため、熱伝導グリース１５からの熱を平面部分に比べて効率よく放熱することができる。また、空気流路１７では、放熱部材１９が放熱器として機能するとともに、放熱部材１９内の温度が上昇することによって内部に空気が流入し、背面部材１１Ａにおける放熱部材１９の装着部は、自然空冷により冷却される。
【００２６】
（表示ユニットへの書込み動作）
次に、表示ユニット１００への画像の書込み動作について説明する。画像データに対応する画素部分に交差している行電極１０２と列電極１０３に対し、電源・制御ユニット１６のパルス電源回路で生成した所定の電圧が印加される。この電圧は、例えば、行電極１０２に０Ｖの電圧を印加し、列電極１０３には、画像データに応じて、例えば、＋１４０Ｖまたは−１４０Ｖ程度の正または負の画像電圧を所定の時間（例えば、３０ｍｓ）印加する。
【００２７】
白色粒子１０６Ａと黒色粒子１０６Ｂは、摩擦帯電により互いに異なる極性に帯電している。例えば、白色粒子１０６Ａが負に帯電し、黒色粒子１０６Ｂは正に帯電している。画像データに基いて行電極１０２と列電極１０３に電圧を印加すると、負に帯電した白色粒子１０６Ａは、正電圧が印加された列電極１０３側に移動して誘電体層１０４Ｂの内面に付着し、正に帯電した黒色粒子１０６Ｂは、行電極１０２側の誘電体層１０４Ａの内面に付着する。この様にして、行電極１０２側に付着した白色粒子１０６Ａと黒色粒子１０６Ｂによって構成された白黒画像は、照明光１１０が照射されているとき、基板１０１Ａを通して視線Ｅの方向から表示光１１１を見ることができる。
【００２８】
行電極１０２と列電極１０３への電圧の印加を停止しても、白色粒子１０６Ａおよび黒色粒子１０６Ｂと誘電体層１０４Ａ，１０４Ｂとの間の静電付着力が維持されるため、粒子１０６Ａ，１０６Ｂは誘電体層１０４Ａ，１０４Ｂの内面に付着したまま保持され、長時間に渡り白黒画像が表示される。
【００２９】
（第１の実施の形態の効果）
この第１の実施の形態によれば、下記の効果が得られる。
（イ）中間部材１３からの熱は、熱伝導グリース１５を介して背面部材１１Ａに伝熱され、更に、空気流路１７および凹凸部１１Ｂを介して大気中に放熱されるため、表示ユニット１００の温度上昇が抑制され、表示品質の劣化を防止することができる。
（ロ）スペーサ１４によって、表示ユニット１００と透明板１２との間に所定の隙間が形成されているので、ニュートンリングの発生を抑制して表示画像が見にくくなるのを防ぐことができる。
（ハ）中間部材１３と背面部材１１Ａとは、熱伝導グリース１５が介在するのみであるため、表示ユニット１００の収納部の奥行きを小さくすることができ、画像表示装置１の薄型化が可能になる。
【００３０】
［第２の実施の形態］
図３は、本発明の第２の実施の形態に係る画像表示装置を示す。この画像表示装置１は、第１の実施の形態において、凹凸部１１Ｂ，１３Ａ、熱伝導グリース１５および放熱部材１９を除去し、冷却手段としてのペルチェ（Ｐｅｌｔｉｅｒ）素子２０Ａ〜２０Ｄと、このペルチェ素子２０Ａ〜２０Ｄと背面部材１１Ａの間に熱伝導経路を形成する複数の熱配線２１と、ペルチェ素子２０Ａ〜２０Ｄに電力を供給する電源部２２とを設けたものであり、他の構成は第１の実施の形態と同様である。なお、電源部２２は、電源・制御ユニット１６の電源回路に含まれる構成としてもよい。また、表示ユニット１００は、中間部材１３を用いずに、背面部材１１Ａの内面に直に取り付けられていてもよい。
【００３１】
ペルチェ素子２０Ａ〜２０Ｄは、例えば、Ｎ型とＰ型の複数の半導体をＮ、Ｐ、Ｎ、Ｐ、Ｎ、Ｐ、・・・のように順番に配設し、かつ前記の順番に相互の配線を直列に接続し、更に、Ｐ型半導体には電源部２２の＋端子を接続し、Ｎ型半導体には−端子を接続することにより、半導体群の片面が発熱源、他方の面が吸熱源になるようにしたものである。
【００３２】
熱配線２１は、吸熱側の面に接続され、例えば、銅等の熱伝導性に優れる材料からなり、板状体、棒状体、線状体、パイプ、ブロック等の形態を有する。
【００３３】
ペルチェ素子２０Ａ〜２０Ｄは、大きなサイズのものを用い、あるいは使用数を増やして、背面部材１１Ａの表面の全域に及ぶように設けることもできる。しかし、このような構成では、ペルチェ素子２０Ａ〜２０Ｄが高価格になり、得策ではない。一方、ペルチェ素子２０Ａ〜２０Ｄの相互間に隙間ができるようにして背面部材１１Ａに直に取り付けた場合、ペルチェ素子２０Ａ〜２０Ｄに接触する部分と接触しない部分とで表示ユニット１００に温度ムラが生じ、部分的に表示品質のばらつきが生じる。そこで、図３に示すように、小サイズのペルチェ素子２０Ａ〜２０Ｄを用い、１つのペルチェ素子に対して複数の熱配線２１を接続するとともに、各ペルチェ素子および背面部材１１Ａに対して熱配線２１が均等になるように接続する構成にしている。
【００３４】
また、ペルチェ素子２０Ａ〜２０Ｄの使用を必要時のみにしたい場合、例えば、本体１１内が一定の温度以上の時にのみ動作させたい場合には、温度センサを本体１１内に設置し、この温度検出値に基づいて、ペルチェ素子２０Ａ〜２０Ｄを電源・制御ユニット１６によりオン／オフ制御する構成にすればよい。
【００３５】
（画像表示装置の動作）
次に、図３を参照して、第２の実施の形態の動作について説明する。画像表示装置１が晴天の屋外で使用され、表示面に太陽光が照射されると、表示ユニット１００の温度が上昇し、その温度は時間を経て表示ユニット１００の背面に伝熱し、更に背面部材１１Ａに伝熱され、背面部材１１Ａの温度は上昇する。
【００３６】
一方、電源・制御ユニット１６内の制御回路の管理のもとに、電源部２２から所定の直流電流がペルチェ素子２０Ａ〜２０Ｄに印加され、ペルチェ素子２０Ａ〜２０Ｄは、熱配線２１の取り付け面の温度が下がるように動作する。ペルチェ素子２０Ａ〜２０Ｄが熱配線２１を冷却することにより、熱配線２１によって背面部材１１Ａが冷却される。なお、ペルチェ素子２０Ａ〜２０Ｄへの通電方向を逆にすることにより、熱配線２１を加熱することができ、これにより背面部材１１Ａの温度を上げることができる。
【００３７】
（第２の実施の形態の効果）
この第２の実施の形態によれば、下記の効果が得られる。
（イ）ペルチェ素子２０Ａ〜２０Ｄと背面部材１１Ａとを複数の熱配線２１によって接続して冷却点を分散しているので、表示ユニット１００の温度上昇が抑制されるとともに、表示ユニット１００が極端な温度勾配を持つことがなくなり、表示品質の劣化を防止することができる。
（ロ）ペルチェ素子２０Ａ〜２０Ｄのサイズを大きくし、或いは使用数を増やすことにより冷却能力を高めることができるので、冷却不足の発生を防止することができる。
（ハ）ペルチェ素子２０Ａ〜２０Ｄへの通電方向を逆にすることで、熱配線２１および背面部材１１Aを介して表示ユニット１００を加熱することができるため、寒冷地や厳冬期等に、低温すぎるために表示が不安定になるのを防止することができる。
（ニ）ペルチェ素子２０Ａ〜２０Ｄへの通電を断つことにより、過冷却を防止することができる。
（ホ）ペルチェ素子２０Ａ〜２０Ｄ、熱配線２１は、外部に取り付けられるため、レイアウトにおける制約を無くすことができる。
【００３８】
［第３の実施の形態］
図４は、本発明の第３の実施の形態に係る画像表示装置を示す。また、図５は、図４のＡ−Ａ線断面を示す。この画像表示装置１は、箱型に作られた本体１１と、この本体１１の前面に装着され、保護カバーとして機能する透明なプラスチック、ガラス等による透明板１２と、透明板１２の背面に設置された表示ユニット１００と、透明板１２と表示ユニット１００の表面との間に所定の間隙を形成してニュートンリングの発生を防止するスペーサ１４と、表示ユニット１００の後部に設置されるとともに銅等の金属材料による密着部材としての取付板２３と、この取付板２３に蛇行させて取り付けられた銅パイプ等による蒸発器３１と、蒸発器３１を覆うように被覆されたセラミックファイバ、グラスウール、発砲製品等による断熱材３２と、蒸発器３１の両端に接続された配管３３Ａ，３３Ｂと、配管３３Ａの途中に設けられた絞り器３４と、配管３３Ａと配管３３Ｂの間に設けられた凝縮器３５と、配管３３Ｂの途中に設けられた圧縮器３６とを備える。
【００３９】
ここで、蒸発器３１、絞り器３４、凝縮器３５および圧縮器３６によって、冷却手段として、また管路循環方式の熱交換機としてのヒートポンプが構成されており、蒸発器３１、絞り器３４、凝縮器３５および圧縮器３６を結ぶ循環系には、冷媒が封入されており、その流量を制御するために絞り器３４が設けられている。なお、ヒートポンプに代えて、他の動作原理による管路循環方式の熱交換機を用いることもできる。
【００４０】
（画像表示装置の動作）
次に、図４および図５を参照して、第３の実施の形態の動作について説明する。画像表示装置１が晴天の屋外で使用され、表示面に太陽光が照射されると、表示ユニット１００の温度が上昇する。表示ユニット１００の表側の温度は時間を経て表示ユニット１００の背面に伝熱し、更に取付板２３に伝熱される。
【００４１】
一方、冷媒が凝縮器３５から絞り器３４に流れるように圧縮器３６が駆動されることにより、冷媒は、圧縮器３６、凝縮器３５、絞り器３４、蒸発器３１、圧縮器３６の経路で循環し、蒸発器３１において熱が吸収され、凝縮器３５において放熱が行われる。この結果、取付板２３が冷却され、更に、取付板２３と表示ユニット１００との間の空間が取付板２３によって冷却されることにより、表示ユニット１００が背部から冷却される。
【００４２】
なお、圧縮器３４による冷媒の流れを逆にし、蒸発器３１から絞り器３４に流れるようにすると、取付板２３を加熱することができ、これにより表示ユニット１００の温度を上げることができる。
【００４３】
（第３の実施の形態の効果）
この第３の実施の形態によれば、下記の効果が得られる。
（イ）ヒートポンプによって取付板２３が冷却され、この取付板２３によって表示ユニット１００が冷却されるため、表示ユニット１００の温度上昇が抑制され、表示品質の劣化を防止することができる。
（ロ）蒸発器等の各部の変更により冷却能力を高めることができるので、冷却不足の発生を防止することができる。
（ハ）冷媒の流れを逆にすることで、取付板２３を加熱することができるため、厳冬期等に、低温すぎるために表示が不安定になるのを防止することができる。
（ニ）ヒートポンプの運転を停止することにより、過冷却を防止することができる。
【００４４】
［他の実施の形態］
なお、本発明は、上記各実施の形態に限定されず、その要旨を変更しない範囲内で種々の変形が可能であり、各実施の形態の構成要素を任意に組み合わせることができる。
例えば、図３に示すペルチェ素子を図１に示す背面部材１１Ａに熱配線を介して接続してもよい。
【００４５】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示記録媒体を用いてもよい。
【図面の簡単な説明】
【００４６】
【図１】本発明の第１の実施の形態に係る画像表示装置を示す平面断面図である。
【図２】図１に示した表示ユニットの詳細構成を示す断面図である。
【図３】本発明の第２の実施の形態に係る画像表示装置を示す平面断面図である。
【図４】本発明の第３の実施の形態に係る画像表示装置を示す平面図である。
【図５】図４のＡ−Ａ線断面を示す断面図である。
【符号の説明】
【００４７】
１  画像表示装置
１１  本体
１１Ａ  背面部材
１１Ｂ，１３Ａ  凹凸部
１２  透明板
１３  中間部材
１４  スペーサ
１５  熱伝導グリース
１６  電源・制御ユニット
１７  空気流路
１８Ａ，１８Ｂ  調整ネジ
１９  放熱部材
２０Ａ〜２０Ｄ  ペルチェ素子
２１  熱配線
２２  電源部
２３  取付板
３１  蒸発器
３２  断熱材
３３Ａ，３３Ｂ  配管
３４  絞り器
３５  凝縮器
３６  圧縮器
１００  表示ユニット
１０１Ａ，１０１Ｂ  基板
１０２  行電極
１０３  列電極
１０４Ａ，１０４Ｂ  誘電体層
１０５  空間部
１０６Ａ  白色粒子
１０６Ｂ  黒色粒子
１１０  照明光
１１１  表示光
Ｅ  視線
【図１】
2006010850.tif 000003
【図２】
2006010850.tif 000004
【図３】
2006010850.tif 000005
【図４】
2006010850.tif 000006
【図５】
2006010850.tif 000007